(57)【要約】【課題】本発明は、冷凍おにぎりを収容部の所定位置に充填することができる冷凍おにぎり用トレーを提供する。【解決手段】トレー１０は、電子レンジで解凍、加熱して食する、略三角形の冷凍おにぎり用トレーである。トレー１０は、冷凍おにぎり８０を寝かせた状態で収容する収容部５０を含む。収容部５０は、冷凍おにぎり８０の一つの頂部８２が収容される頂部収容部５２を有する。トレー１０は、頂部収容部５２の両側に、収容部５０の開口部２０から頂部収容部５２に向かって傾斜する傾斜案内部４０を有する。傾斜案内部４０は、冷凍おにぎり８０を開口部２０から収容部５０に充填する際に、冷凍おにぎり８０を頂部収容部５２へ案内する。【選択図】図１
2019142567.tif 000002
【特許請求の範囲】
【請求項１】
電子レンジで解凍、加熱して食する、略三角形の冷凍おにぎり用トレーであって、
前記冷凍おにぎりを寝かせた状態で収容する収容部を含み、
前記収容部は、前記冷凍おにぎりの一つの頂部が収容される頂部収容部を有し、
前記頂部収容部の両側に、前記収容部の開口部から前記頂部収容部に向かって傾斜する傾斜案内部を有し、
前記傾斜案内部は、前記冷凍おにぎりを前記開口部から前記収容部に充填する際に、前記冷凍おにぎりを前記頂部収容部へ案内することを特徴とする、冷凍おにぎり用トレー。
【請求項２】
請求項１において、
前記収容部の側面が、底面から開口部に向けて外側に広がるよう傾きを有し、上端の断面の形状が略円形〜略四角形であることを特徴とする、冷凍おにぎり用トレー。
【請求項３】
請求項１または２において、
前記傾斜案内部は、複数の傾斜部を含むことを特徴とする、冷凍おにぎり用トレー。
【請求項４】
請求項１〜３のいずれか１項において、
前記傾斜案内部は、前記開口部側にある第１傾斜部と、前記第１傾斜部から底壁に向かって延びる第２傾斜部と、を含み、
前記第１傾斜部は、前記底壁に対する傾斜角が前記第２傾斜部よりも小さいことを特徴とする、冷凍おにぎり用トレー。
【請求項５】
請求項３または４において、
前記傾斜案内部は、前記頂部収容部に前記冷凍おにぎりの前記頂部が配置されると、前記頂部付近の水平方向の移動を制限する第３傾斜部をさらに含むことを特徴とする、冷凍おにぎり用トレー。
【請求項６】
請求項１〜５のいずれか１項において、
前記収容部は、
寝かせた状態の前記冷凍おにぎりが載る第１載置部と、
立てた状態の前記冷凍おにぎりが載る第２載置部と、
を含み、
前記第１載置部は、前記頂部収容部から前記頂部収容部に対向する側面側へ延びる直線状の２つの平坦面であり、前記第２載置部を挟むように形成されることを特徴とする、冷凍おにぎり用トレー。
【請求項７】
請求項６において、
前記第２載置部は、その長手方向の両端に下方に突出する２つの凹部を含み、
前記凹部は、平面上に前記冷凍おにぎり用トレーを置いた際に、前記平面上に接触することを特徴とする、冷凍おにぎり用トレー。
【発明の詳細な説明】
【技術分野】
【０００１】
本発明は、冷凍おにぎり用トレーに関する。
【背景技術】
【０００２】
冷凍おにぎりは、電子レンジによって解凍、加熱されて食される。最近では、冷凍おにぎりが収容されたトレーをそのまま電子レンジに入れることができるトレーが開発されている（特許文献１参照）。
【０００３】
さらに、電子レンジで加熱したときに発生する蒸気を外部に効率よく放出することができる冷凍おにぎり用トレーが開発された（特許文献２参照）。このような冷凍おにぎり用トレーは、冷凍おにぎりを寝かせた状態で収容できる略三角形の第１収容部と、冷凍おにぎりを立てた状態で収容できる第２収容部と、を含む単位トレーを有する。
【先行技術文献】
【特許文献】
【０００４】
【特許文献１】特開平１０−２７８９７４号公報
【特許文献２】実用新案登録第３１４６２７４号公報
【発明の概要】
【発明が解決しようとする課題】
【０００５】
従来の冷凍おにぎり用トレーは、おにぎりの向きを揃えて並ぶように設計されているが、各単位トレーに冷凍おにぎりを充填する工程において、冷凍おにぎりが第１収容部に正確に収まらない場合がある。特に、各単位トレーに冷凍おにぎりを充填する工程を量産用の装置により自動的に行われる場合、第１収容部に収まらなかった冷凍おにぎりはその装置の後工程において手作業で第１収容部に収める必要が生じる。
【０００６】
本発明の目的の一つは、冷凍おにぎりを収容部の所定位置にスムーズに充填することができる冷凍おにぎり用トレーを提供することにある。
【課題を解決するための手段】
【０００７】
略三角形のおにぎりを収納するトレーの形状は、おにぎりと同じ形である、略三角形の収容部とすれば、入ったおにぎりが安定し、運送中に破損することもなく、トレーのサイズもミニマムにできることになる。しかしながら、三角形の凹部に三角形の物を入れるには、頂点の向きを揃えて、上からまっすぐに落とし込む必要が生じる。手作業であっても、製品の方向を気にしながら詰めるのは効率が悪く、自動化しようとするとさらに難易度が高くなる。一方、やや大きめの円形の収容部とすれば、何も考えずに三角形のおにぎりを落とし込めば、簡単に収容することができる。しかしながら、円形の収容部では、収容部内でおにぎりが自由に動き、おにぎりの向きもそろわず、運送中の破損の恐れもあり、トレーのサイズも大きくなってしまう。
【０００８】
本願発明者らは、略三角形の収容部のメリットを有し、かつ、収納しやすいトレーについて研究した結果、トレーの収納部の開口部の上端付近は広く円形に近い形状にし、底面付近で、三角形の少なくとも一つの頂点を固定できる形状にし、収容部の側面に、傾斜のある案内部を設けることにより、目的を達成することができることを見出した。この方法により、開口部の上端から、おにぎりがずれた方向で投入された場合にも、コンベアを移動中の振動により、側面に設けられた傾斜のある案内部により、一つの頂点が固定される位置に案内され、予定された位置に収めることができる。
【０００９】
［適用例１］
本適用例に係る冷凍おにぎり用トレーは、
電子レンジで解凍、加熱して食する、略三角形の冷凍おにぎり用トレーであって、
前記冷凍おにぎりを寝かせた状態で収容する収容部を含み、
前記収容部は、前記冷凍おにぎりの一つの頂部が収容される頂部収容部を有し、
前記頂部収容部の両側に、前記収容部の開口部から前記頂部収容部に向かって傾斜する傾斜案内部を有し、
前記傾斜案内部は、前記冷凍おにぎりを前記開口部から前記収容部に充填する際に、前記冷凍おにぎりを前記頂部収容部へ案内することを特徴とする。
【００１０】
本適用例に係る冷凍おにぎり用トレーによれば、冷凍おにぎりを開口部から収容部に充填する際に、冷凍おにぎりの一つの頂部が傾斜案内部で頂部収容部に案内されることで、冷凍おにぎりを収容部の所定位置にスムーズに充填することができる。
【００１１】
［適用例２］
上記適用例に係る冷凍おにぎり用トレーにおいて、
前記収容部の側面が、底壁から前記開口部に向けて外側に広がるように傾きを有し、前記開口部直下の前記側面の横断面の形状が略円形〜略四角形とすることができる。
【００１２】
本適用例に係る冷凍おにぎり用トレーによれば、開口部が広いことにより、おにぎりを投入しやすくなる。また、トレーを保存する際には重ねて収容でき、重なったトレーの取り外しも容易になるというメリットも生じる。
【００１３】
［適用例３］
上記適用例に係る冷凍おにぎり用トレーにおいて、
前記傾斜案内部は、複数の傾斜部を含むことができる。
【００１４】
本適用例に係る冷凍おにぎり用トレーによれば、傾斜案内部が複数の傾斜部を含むことで、冷凍おにぎりの移動を円滑に行うことができる。
【００１５】
［適用例４］
上記適用例に係る冷凍おにぎり用トレーにおいて、
前記傾斜案内部は、前記開口部側にある第１傾斜部と、前記第１傾斜部から前記底壁に向かって延びる第２傾斜部と、を含み、
前記第１傾斜部は、前記底壁に対する傾斜角が前記第２傾斜部よりも小さいことができる。
【００１６】
本適用例に係る冷凍おにぎり用トレーによれば、第１傾斜部の傾斜角よりも第２傾斜部の方が小さいことにより、開口部から充填される冷凍おにぎりを傾斜角の小さな第１傾斜部で受けた後に、傾斜角の大きな第２傾斜部に案内することができる。それにより、傾斜案内部の途中で冷凍おにぎりが引っ掛かってしまうことを防止し、頂部を頂部収容部に円滑に案内することができる。
【００１７】
［適用例５］
上記適用例に係る冷凍おにぎり用トレーにおいて、
前記傾斜案内部は、前記頂部収容部に前記冷凍おにぎりの前記頂部が配置されると、前記頂部付近の水平方向の移動を制限する第３傾斜部をさらに含むことができる。
【００１８】
本適用例に係る冷凍おにぎり用トレーによれば、第３傾斜部により頂部付近の移動を制
限することにより、充填された冷凍おにぎりを収容部内に安定的に収容することができる。
【００１９】
［適用例６］
上記適用例に係る冷凍おにぎり用トレーにおいて、
前記収容部は、
寝かせた状態の前記冷凍おにぎりが載る第１載置部と、
立てた状態の前記冷凍おにぎりが載る第２載置部と、
を含み、
前記第１載置部は、前記頂部収容部から前記頂部収容部に対向する側面側へ直線状の２つの平坦面であり、前記第２載置部を挟むように形成されることができる。
【００２０】
本適用例に係る冷凍おにぎり用トレーによれば、頂部収容部の両側に傾斜案内部を設けても冷凍おにぎりを立てた状態で載せることができる第２載置部のスペースを確保することができる。
【００２１】
［適用例７］
上記適用例に係る冷凍おにぎり用トレーにおいて、
前記第２載置部は、その長手方向の両端に下方に突出する２つの凹部を含み、
前記凹部は、平面上に前記冷凍おにぎり用トレーを置いた際に、前記平面上に接触することができる。
【００２２】
本適用例に係る冷凍おにぎり用トレーによれば、２つの凹部を含むことにより、第２載置部に冷凍おにぎりを安定的に載せることができる。
【発明の効果】
【００２３】
本発明によれば、冷凍おにぎりを収容部の所定位置にスムーズに充填することができ、かつ、収納後のおにぎりは頂部収容部により動きが制限され、トレーの中で安定に保持される冷凍おにぎり用トレーを提供することができる。
【図面の簡単な説明】
【００２４】
【図１】本実施形態に係る冷凍おにぎり用トレーの平面図である。
【図２】図１のＡ−Ａ断面図である。
【図３】図１のＢ−Ｂ断面図である。
【図４】本実施形態に係る冷凍おにぎり用トレーの斜視図である。
【図５】冷凍おにぎりの充填方法を説明する図である。
【図６】冷凍おにぎりの充填方法を説明する図である。
【図７】冷凍おにぎりの充填方法を説明する図である。
【図８】トレーの使用方法を説明する図１のＡ−Ａ断面図である。
【発明を実施するための形態】
【００２５】
以下、本発明の好適な実施形態について、図面を用いて詳細に説明する。なお、以下に説明する実施形態は、特許請求の範囲に記載された本発明の内容を不当に限定するものではない。また、以下で説明される構成の全てが本発明の必須構成要件であるとは限らない。
【００２６】
本実施形態に係る冷凍おにぎり用トレーは、電子レンジで解凍、加熱して食する、略三角形の冷凍おにぎり用トレーであって、前記冷凍おにぎりを寝かせた状態で収容する収容部を含み、前記収容部は、前記冷凍おにぎりの一つの頂部が収容される頂部収容部を有し、前記頂部収容部の両側に、前記収容部の開口部から前記頂部収容部に向かって傾斜する
傾斜案内部を有し、前記傾斜案内部は、前記冷凍おにぎりを前記開口部から前記収容部に充填する際に、前記冷凍おにぎりを前記頂部収容部へ案内することを特徴とする。
【００２７】
１．冷凍おにぎり用トレー
図１〜図４を用いて、冷凍おにぎり用トレーであるトレー１０について詳細に説明する。図１は本実施形態に係るトレー１０の平面図であり、図２は図１のＡ−Ａ断面図であり、図３は図１のＢ−Ｂ断面図であり、図４は本実施形態に係るトレー１０の斜視図である。なお、図４は、ＸＹＺのベクトルで示すような方向からトレー１０を見ている（Ｘ，Ｙはトレー１０を平面上に置いたときの平面に平行なベクトル）。
【００２８】
図１〜図４に示すように、トレー１０は、電子レンジで解凍、加熱して食する、略三角形の冷凍おにぎり用のトレー１０であって、冷凍おにぎり８０を寝かせた状態で収容する収容部５０を含む。図１では冷凍おにぎり８０の収容された状態を右下の収容部５０に示す。
【００２９】
トレー１０は、複数の収容部５０（図示の例では６個）を含む。各収容部５０は同様の構成を有するので、図１では左上の収容部５０にのみ各部の符号を図示し、他の収容部５０では符号を省略する。各収容部５０はフランジ部２２に開口する開口部２０から底壁６０へ向かって凹み、収容部５０ごとに１つの冷凍おにぎり８０を収容することができる。
【００３０】
トレー１０は、フランジ部２２に形成されたミシン目２４により収容部５０ごとに分離することができる。
【００３１】
トレー１０の素材は、冷凍食品用トレーとして一般的に使用される冷凍耐性・保形性および電子レンジ加熱耐性を有する樹脂であれば特に制限されないが、例えばポリエチレン（ＰＥ）、ポリプロピレン（ＰＰ）、発泡スチレンシート（ＰＳＰ）等を挙げることができる。トレー１０の製造方法としては、食品用トレーの製造に一般的に使用されている押し出し成型、真空成型等の加工法を使用できる。
【００３２】
収容部５０は、略四角形状に開口する開口部２０と、底壁６０と、開口部２０と底壁６０とを連結する環状の側面３０と、を含む。収容部５０の側面３０は、底壁６０から開口部２０に向けて外側に広がるように傾きを有する。開口部２０が広いことにより、冷凍おにぎり８０を収容部５０に投入しやすくなる。また、側面３０の傾きにより、トレー１０を保存する際には重ねて収容でき、重なったトレー１０の取り外しも容易になるというメリットも生じる。開口部２０直下の側面３０の横断面の形状３１（図１の左下の破線及び図２にＣ−Ｃ断面の端面として示す）は、略円形〜略四角形とすることができる。底壁６０は三角形の冷凍おにぎり８０を固定するために三角形の角を保持する形状であることが好ましいが、開口部２０は冷凍おにぎり８０を投入しやすいように、できるだけ広い開口部２０となっているのが好ましい。そのためには開口部２０の形状（より具体的には開口部２０直下の側面３０の横断面の形状３１）は底壁６０よりも広くなっていればよい。「略円形〜略四角形」とは、略円形、略多角形、略四角形のいずれでもよく、トレー１０の形状や複数個の収容部５０の組み合わせ方によって、一部に変形部を有するものであってもよい。略円形とは複数の円弧の組み合わせによるものやわずかに直線を含むものも含み、概ね円形と表現できるものを含む。略多角形及び略四角形とは完全な多角形及び四角形であることを要求しない主旨であり、例えば、角が円弧で形成されたものや辺が大きな曲率の円弧で形成されたものを含み、概ね多角形または四角形と表現できるものを含む。
【００３３】
側面３０には複数の溝部３２が形成され、溝部３２は冷凍おにぎり８０を解凍する際に蒸気を外部に放出する機能を有する。底壁６０は、トレー１０の底を構成し、収容部５０に収容された冷凍おにぎり８０が配置される。底壁６０には複数の溝や凹凸が形成され、
これらは冷凍おにぎり８０を解凍する際の蒸気を外部に放出する機能を有すると共に、後述するように冷凍おにぎり８０を載置する機能を有する。図１〜図４に示す溝部３２の本数や形態及び底壁６０の形態は、一態様であり、冷凍おにぎり８０からの蒸気を効率よく外部に放出する本数及び形態を適宜採用することができる。
【００３４】
収容部５０は、冷凍おにぎり８０の一つの頂部８２が収容される頂部収容部５２を有する。頂部収容部５２は、冷凍おにぎり８０を寝かせた状態で収容部５０に収容したときに冷凍おにぎり８０の一つの頂部８２が配置され収容される。収容部５０に収納後の冷凍おにぎり８０は頂部収容部５２により収容部内で回転するような動きが制限され、トレー１０の中で安定に保持される。収納後の冷凍おにぎり８０の移動が制限されることで運送中の冷凍おにぎり８０の破損を防止することができる。頂部収容部５２は、収容部５０の一部であって、略四角形状の開口部２０の一辺の中心付近に形成される。
【００３５】
頂部収容部５２の両側に、収容部５０の開口部２０から頂部収容部５２に向かって傾斜する傾斜案内部４０を有する。傾斜案内部４０は、冷凍おにぎり８０を開口部２０から収容部５０に充填する際に、冷凍おにぎり８０を頂部収容部５２へ案内する。冷凍おにぎり８０を開口部２０から収容部５０に充填する際に、冷凍おにぎり８０の一つの頂部８２が傾斜案内部４０で頂部収容部５２に案内されることで、冷凍おにぎり８０を収容部５０の所定位置にスムーズに充填することができる。おにぎりは三角形なので頂点は３つある。いずれかの頂点が頂部収容部に収まればいいので、傾斜案内部は頂部収容部の左右６０度ずつの範囲に設ければよい。冷凍おにぎり８０の収容部５０への充填方法は後述する。
【００３６】
傾斜案内部４０は、複数の傾斜部（第１傾斜部４２、第２傾斜部４４、第３傾斜部４６）を含む。傾斜案内部４０が複数の傾斜部（第１傾斜部４２、第２傾斜部４４、第３傾斜部４６）を含むことで、冷凍おにぎり８０の移動を円滑に行うことができる。本実施形態では第１傾斜部４２、第２傾斜部４４及び第３傾斜部４６の３つの傾斜部で構成されているが、１つ以上の傾斜部であってもよい。複数の傾斜部（４２，４４，４６）間を曲面で繋いでもよいし、傾斜案内部４０を連続的な曲面として構成してもよい。
【００３７】
傾斜案内部４０は、開口部２０側にある第１傾斜部４２と、第１傾斜部４２から底壁６０に向かって延びる第２傾斜部４４と、を含む。第１傾斜部４２は、底壁６０に対する傾斜角が前記第２傾斜部４４よりも小さい。底壁６０に対する傾斜角は、すなわちトレー１０を平面９０（図２及び図３）上に置いた状態で、平面９０に対する傾斜角ということである。この傾斜角が小さいということは、開口部２０の上方から落下してくる冷凍おにぎり８０に対して平行に近い面であるということである。
【００３８】
第１傾斜部４２の傾斜角よりも第２傾斜部４４の方が小さいことにより、開口部２０から投入される冷凍おにぎり８０をまず傾斜角の小さな第１傾斜部４２で受けた後に、傾斜角の大きな第２傾斜部４４に案内することができる。もし、第２傾斜部４４の方が第１傾斜部４２よりも小さい傾斜角であれば、第１傾斜部４２に落下してきた冷凍おにぎり８０が勢いよく接触することで引っ掛かってしまうおそれがある。第１傾斜部４２を第２傾斜部４４より小さい傾斜角とすることにより、傾斜案内部４０の途中で冷凍おにぎり８０が引っ掛かってしまうことを防止し、頂部８２の頂部収容部５２への移動を円滑に案内することができる。
【００３９】
傾斜案内部４０は、頂部収容部５２に冷凍おにぎり８０の頂部８２が配置されたときに、頂部８２付近の水平方向の移動を制限する第３傾斜部４６をさらに含む。第３傾斜部４６により頂部８２付近を左右から支持し、移動を制限することにより、充填された冷凍おにぎり８０が収容部５０内で回転するような移動を制限し、冷凍おにぎり８０を収容部５０内に安定的に収容することができる。
【００４０】
第１傾斜部４２、第２傾斜部４４及び第３傾斜部４６のそれぞれは、単一の傾斜面で形成されていなくてもよく、複数の傾斜面や複数の湾曲面によって形成してもよい。
【００４１】
収容部５０は、寝かせた状態の冷凍おにぎり８０が載る第１載置部５４と、立てた状態の冷凍おにぎり８０を載せる第２載置部５６と、を含む。第１載置部５４は、頂部収容部５２から頂部収容部５２に対向する側面３０側へ延びる直線状の２つの平坦面である。２つの第１載置部５４は、第２載置部５６を挟むように形成される。このように第１載置部５４及び第２載置部５６を形成することで、頂部収容部５２の両側に傾斜案内部４０を設けても冷凍おにぎり８０を立てた状態で載せることができる第２載置部５６のスペースを確保することができる。
【００４２】
第１載置部５４の一端は第３傾斜部４６に接続し、他端は頂部収容部５２と対向する側面３０に接続する。
【００４３】
第２載置部５６は、第１載置部５４から凹み、冷凍おにぎり８０を立てた時の底面が適合する形状を有する。第２載置部５６には複数の溝部３２が形成され、立てた状態の冷凍おにぎり８０を解凍する際に発生する蒸気を外部へ放出することができる。
【００４４】
第２載置部５６は、その長手方向の両端に下方に突出する２つの凹部６２，６２を含む。凹部６２，６２は、平面９０上にトレー１０を置いた際に、平面９０上に接触する。第２載置部５６が２つの凹部６２，６２を含むことにより、第２載置部５６に冷凍おにぎり８０を安定的に載せることができる。
【００４５】
冷凍おにぎり８０は、特に限定されず、例えば、白米のおにぎり、赤飯、炊き込みご飯などの具材入りおにぎり、中に梅干し，鮭，たらこなどの具材を包んだおにぎり、醤油やみそ味の焼きおにぎり、さらにのりで巻いたり、包んだりしたおにぎり等を挙げることができる。また、冷凍おにぎりの大きさは特に限定されないが、例えば略三角形の一辺が４ｃｍ〜１２ｃｍ程度であり、多くは６ｃｍ〜８ｃｍ程度である。
【００４６】
２．充填方法
図２、図３及び図５〜図７を用いて、冷凍おにぎり８０を収容部５０に充填する方法について説明する。図５〜図７は、冷凍おにぎり８０の充填方法を説明する図である。各図において冷凍おにぎり８０は破線で示す。
【００４７】
図２及び図３に示すように、冷凍おにぎり８０は、図示しない冷凍機で連続冷凍され、コンベヤ（図では平面９０として示す）上を移動するトレー１０の収容部５０に対し上方から投入される。投入される際に、冷凍おにぎり８０は、収容部５０の頂部収容部５２側に冷凍おにぎり８０の頂部８２が向くように設定されている。しかし、冷凍おにぎり８０はトレー１０に対してある程度落下するため、トレー１０で弾んだり、頂部８２の位置が水平方向でずれてしまったりすることがある。
【００４８】
図５に示すように、冷凍おにぎり８０の頂部８２が右側にずれて収容部５０に投入された場合には、まず頂部８２は第１傾斜部４２に当接し案内されて、トレー１０の移動に伴う揺れにより頂部収容部５２へ向かって徐々に回転しながら底壁６０側へ移動する。頂部８２はやがて第２傾斜部４４に当接し案内されて、頂部収容部５２へ向かって素早く回転しながら底壁６０側へと移動する。
【００４９】
図６に示すように、冷凍おにぎり８０の頂部８２が頂部収容部５２に来ると、頂部収容部５２の両側にある第３傾斜部４６，４６によって頂部８２の水平方向の移動を左右から
制限する。
【００５０】
また、図７に示すように、冷凍おにぎり８０の頂部８２が左側にずれ、しかも頂部８２が第１傾斜部４２にも載っていない状態では、頂部８２付近の冷凍おにぎり８０の底壁６０側が第１傾斜部４２に当接し案内されて、トレー１０の揺れにより頂部８２を第１傾斜部４２に移動させる。頂部８２が第１傾斜部４２に載った後は、図５と同様に移動して、頂部８２が頂部収容部５２に収容される。
【００５１】
図６に示す状態で、冷凍おにぎり８０は、２つの第１載置部５４，５４上に載る。冷凍おにぎり８０の水平方向への移動は、２つの第３傾斜部４６，４６と側面３０とによって制限され、冷凍おにぎり８０は収容部５０内に安定した状態で保持される。
【００５２】
３．使用方法
図８を用いてトレー１０の使用方法について説明する。図８はトレー１０の使用方法を説明する図１のＡ−Ａ断面図である。図において冷凍おにぎり８０は破線で示す。
【００５３】
図８に示すように、冷凍おにぎり８０を解凍する際には、冷凍おにぎり８０を第２載置部５６内に立てるように載せて、トレー１０ごと電子レンジ内で加熱する。
【００５４】
第２載置部５６の両端には下方に突出する凹部６２，６２があり、第２載置部５６に立てた冷凍おにぎり８０を確実に支持する。第２載置部５６の深さ（第１載置部５４から第２載置部５６の底壁６０までの高さ）は、冷凍おにぎり８０を立てて電子レンジへ入れるときに倒れない程度の深さに設定される。
【００５５】
第２載置部５６には多数の溝部３２が形成されており、第２載置部５６と冷凍おにぎり８０との間に隙間が形成される。
【００５６】
冷凍おにぎり８０が解凍される際に蒸気を発生するが、この蒸気は溝部３２を通って電子レンジ内へ効率よく放出され、おにぎりがべとついたり本来の触感や風味を損なったりすることなく、美味しいおにぎりを食すことができる。
【００５７】
本発明は、上述した実施形態に限定されるものではなく、さらに種々の変形が可能である。例えば、本発明は、実施形態で説明した構成と実質的に同一の構成（例えば、機能、方法、及び結果が同一の構成、あるいは目的及び効果が同一の構成）を含む。また、本発明は、実施形態で説明した構成の本質的でない部分を置き換えた構成を含む。また、本発明は、実施形態で説明した構成と同一の作用効果を奏する構成又は同一の目的を達成することができる構成を含む。また、本発明は、実施形態で説明した構成に公知技術を付加した構成を含む。
【符号の説明】
【００５８】
１０…トレー、２０…開口部、２２…フランジ部、２４…ミシン目、３０…側面、３１…開口部直下の側面の横断面の形状、３２…溝部、４０…傾斜案内部、４２…第１傾斜部、４４…第２傾斜部、４６…第３傾斜部、５０…収容部、５２…頂部収容部、５４…第１載置部、５６…第２載置部、６０…底壁、６２…凹部、８０…冷凍おにぎり、８２…頂部、９０…平面
【図１】
2019142567.tif 000003
【図２】
2019142567.tif 000004
【図３】
2019142567.tif 000005
【図４】
2019142567.tif 000006
【図５】
2019142567.tif 000007
【図６】
2019142567.tif 000008
【図７】
2019142567.tif 000009
【図８】
2019142567.tif 000010